【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  ＨＬＡ分子に結合し細胞溶解性Ｔ細胞による溶解を誘発する、式：ＳＬＬＭＷＩＴＱＸ（配列番号１０）［式中、Ｘは非荷電極性側鎖を持つアミノ酸である］の単離されたノナペプチド。
【請求項２】  前記アミノ酸がＳｅｒ、Ａｓｐ、Ｇｌｕ、ＴｈｒまたはＴｙｒである請求項１の単離されたノナペプチド。
【請求項３】  前記アミノ酸がＳｅｒである請求項１の単離されたノナペプチド。
【請求項４】  互いに特異的な第１および第２結合パートナーを含む、細胞溶解性Ｔ細胞の単離に役立つ単離された複合体であって、前記第２結合パートナーがＨＬＡ−Ａ２分子、β２−ミクログロブリン分子および請求項１のノナペプチドから構成される複数の複合体に結合される複合体。
【請求項５】  前記複合体が四量体である請求項４の単離された複合体。
【請求項６】  配列番号１０のＸがＳｅｒ（配列番号１９）である請求項５の単離された複合体。
【請求項７】  請求項１の単離されたノナペプチドおよび佐剤を含む、細胞溶解性Ｔ細胞応答の誘発に役立つ組成物。
【請求項８】  請求項１のノナペプチドをコードするヌクレオチド配列からなる単離された核酸分子。
【請求項９】  前記ノナペプチドが配列番号１９に記載のアミノ酸配列からなる請求項８の単離された核酸分子。
【請求項１０】  ＭＨＣ分子に結合するペプチドをコードする複数のヌクレオチド配列を含む発現ベクターであって、前記ペプチドの少なくとも１つが請求項１のペプチドである発現ベクター。
【請求項１１】  前記ペプチドの少なくとも１つが配列番号１９のアミノ酸配列からなる請求項１０の発現ベクター。
【請求項１２】  請求項８の単離された核酸分子で形質転換またはトランスフェクトされた組換え細胞。
【請求項１３】  請求項１０の発現ベクターで形質転換またはトランスフェクトされた組換え細胞。
【請求項１４】  ある細胞がＨＬＡ−Ａ２分子をその表面に提示するかどうかを決定する方法であって、前記細胞を含む試料を請求項１のペプチドと接触させて、それらの間の結合を決定することを含み、前記結合が前記細胞の表面上のＨＬＡ−Ａ２の指標である方法。
【請求項１５】  さらに少なくとも１つの追加ペプチドを含む請求項７の組成物。
【請求項１６】  少なくとも一部分が請求項１のアミノ酸配列を含む単離されたポリトープ分子。
【請求項１７】  ＨＬＡ−Ａ２分子およびペプチドの複合体に特異的な細胞溶解性Ｔ細胞が試料中に存在するかどうかを決定する方法であって、前記試料をＨＬＡ−Ａ２分子および請求項１のノナペプチドと混合し、前記細胞溶解性Ｔ細胞の特異性を決定するために、前記細胞溶解性Ｔ細胞と、ＨＬＡ−Ａ２分子および前記ペプチドの複合体との間の相互作用を決定することを含む方法。
【請求項１８】  さらにラベルを含む請求項４の単離された複合体。
【請求項１９】  前記第1 結合パートナーがアビジンであり、前記第2 結合パートナーがビオチンである請求項１８の単離された複合体。
【請求項２０】  ＭＨＣ分子、β２−ミクログロブリンおよびペプチドの複合体を含む請求項１９の単離された複合体。
【請求項２１】  試料中の細胞溶解性Ｔ細胞を同定または単離する方法であって、前記試料を請求項４の複合体と混合し、それに結合する細胞溶解性Ｔ細胞を同定または単離することを含む方法。
【請求項２２】  腫瘍の状態を監視する方法であって、腫瘍を持つ患者から採取した試料を請求項４の単離された複合体と接触させることによって、前記試料中の細胞溶解性Ｔ細胞を決定し、得られた値を先に決定した値と比較することによって、前記腫瘍の状態を決定することを含む方法。
【請求項２３】  配列番号６中のＣ末端アミノ酸以外の１アミノ酸がアラニンで置換されている、配列番号６の類似体である単離されたノナペプチド。
【請求項２４】  配列番号２０、２１、２２、２３、２４、２５、２６および２７からなる群より選択される請求項２３の単離されたノナペプチド。
【請求項２５】  配列番号２７からなる請求項２４の単離されたノナペプチド。
【請求項２６】  請求項２３のノナペプチドをコードする単離された核酸分子。
【請求項２７】  少なくとも１つが請求項２６のヌクレオチド配列である複数のヌクレオチド配列を含む発現ベクター。
【請求項２８】  請求項２６の単離された核酸分子で形質転換またはトランスフェクトされた組換え細胞。
【請求項２９】  請求項２７の発現ベクターで形質転換またはトランスフェクトされた組換え細胞。
【請求項３０】  ある細胞がＨＬＡ−Ａ２分子をその表面に提示するかどうかを決定する方法であって、前記細胞を含む試料を請求項２３のペプチドと接触させて、それらの間の結合を決定することを含み、前記結合が前記細胞の表面上のＨＬＡ−Ａ２の指標である方法。
【請求項３１】  請求項２３の単離されたノナペプチドおよび佐剤を含む、細胞溶解性Ｔ細胞応答の提供に役立つ組成物。
【請求項３２】  少なくとも１つの追加ペプチドを含む請求項３１の組成物。
【請求項３３】  少なくとも一部分が請求項２３のアミノ酸配列を含む単離されたポリトープ分子。
【請求項３４】  ＨＬＡ−Ａ２分子およびペプチドの複合体に特異的な細胞溶解性Ｔ細胞が試料中に存在するかどうかを決定する方法であって、前記試料をＨＬＡ−Ａ２分子および請求項２３のノナペプチドと混合し、前記細胞溶解性Ｔ細胞の特異性を決定するために、前記細胞溶解性Ｔ細胞と、ＨＬＡ−Ａ２分子および前記ペプチドの複合体との間の相互作用を決定することを含む方法。
【請求項３５】  互いに特異的な第１および第２結合パートナーを含む、細胞溶解性Ｔ細胞の単離に役立つ単離された複合体であって、前記第２結合パートナーがＨＬＡ−Ａ２分子、β２−ミクログロブリン分子および請求項２３のノナペプチドから構成される複数の複合体に結合される複合体。
【請求項３６】  前記ノナペプチドが配列番号２０、２１、２２、２３、２４、２５、２６または２７である請求項３５の単離された複合体。
【請求項３７】  第１結合パートナーがアビジンであり、第２結合パートナーがビオチンである請求項３５の単離された複合体。
【請求項３８】  試料中の細胞溶解性Ｔ細胞を同定または単離する方法であって、前記試料を請求項３５の単離された複合体と混合し、それに結合する細胞溶解性Ｔ細胞を同定または単離することを含む方法。
【請求項３９】  ＨＬＡ分子に結合し細胞溶解性Ｔ細胞による溶解を誘発する、式：ＳＬＬＭＷＩＴＱＸ（配列番号１０）［式中、Ｘはシステイン以外の任意のアミノ酸である］の単離されたノナペプチド。
【請求項４０】  Ｘは非極性側鎖を持つ疎水性アミノ酸である請求項３９の単離されたノナペプチド。
【請求項４１】  前記アミノ酸がＡｌａ、Ｖａｌ、Ｌｅｕ、Ｉｌｅ、Ｐｒｏ、Ｐｈｅ、Ｍｅｔ、ＴｒｐまたはＧｌｙである請求項４０の単離されたノナペプチド。
【請求項４２】  前記アミノ酸がＡｌａ、Ｖａｌ、Ｉｌｅ、又はＬｅｕである請求項３９の単離されたノナペプチド。
【請求項４３】  請求項３９の単離されたノナペプチドおよび佐剤を含む、細胞溶解性Ｔ細胞応答の誘発に役立つ組成物。
【請求項４４】  さらに少なくとも１つの追加ペプチドを含む請求項４３の組成物。
【請求項４５】  式：ＳＬＬＭＷＩＴＱＸＸ（配列番号１８）［式中、第１のＸはシステインまたはアラニンであり、第２のＸは任意のアミノ酸である］の単離されたデカペプチド。
【請求項４６】  第２のＸはＰｈｅ、Ｉｌｅ、ＶａｌまたはＬｅｕである請求項４５の単離されたデカペプチド。
【請求項４７】  第１のＸはシステインであり、第２のＸはＰｈｅ、Ｉｌｅ、ＶａｌまたはＬｅｕである請求項４５の単離されたデカペプチド。
【請求項４８】  第１のＸはアラニンであり、第２のＸはＰｈｅ、Ｉｌｅ、ＶａｌまたはＬｅｕである請求項４５の単離されたデカペプチド。
【請求項４９】  第２のＸは、Ｐｈｅ（配列番号１１）、又はＩｌｅ（配列番号１４）である請求項４７の単離されたデカペプチド。
【請求項５０】  請求項４５の単離されたデカペプチドおよび佐剤を含む、細胞溶解性Ｔ細胞応答の誘発に役立つ組成物。
【請求項５１】  さらに少なくとも１つの追加ペプチドを含む請求項５０の組成物。